(57)【要約】 【課題】本発明は、インターネットを介して懸賞を行う電子懸賞システムに関し、個人情報の開示を最小限に留めるとともに、容易な懸賞応募を可能にするだけでなく、応募者、主催者の双方の不正を防ぐことができ、特にユーザが安心して懸賞に参加できる電子懸賞システムを提供することを目的とする。【解決手段】個人情報保持装置１は、応募者の個人情報を保持し、電子抽選装置２は、応募者の応募に対し、個人情報保持手段１から応募者に対応した識別子を取得し、当選者の決定には、取得した複数の識別子から特徴量を算出し、特徴量から擬似乱数を発生して、擬似乱数から当選の識別子を決定する。【選択図】図１
2007096850.tif 000002
【特許請求の範囲】
【請求項１】
応募に対し応募者を識別する識別子を該応募者の個人情報を管理している個人情報保持装置から取得する識別子取得手段と、取得した複数の前記識別子から特徴量を算出する特徴量算出手段と、前記特徴量から当選の前記識別子を決定する当選識別子決定手段と、前記当選の識別子を出力する当選識別子出力手段とを備えることを特徴とする電子抽選装置。
【請求項２】
前記当選識別子出力手段は、前記当選の識別子を前記個人情報保持装置に送信することを特徴とする請求項１に記載の電子抽選装置。
【請求項３】
前記特徴量算出手段は、前記特徴量を前記個人情報保持装置に送信することを特徴とする請求項１または請求項２に記載の電子抽選装置。
【請求項４】
応募に対し応募者を識別する識別子を該応募者の個人情報を管理している個人情報保持装置から取得する識別子取得手段と、取得した複数の前記識別子から特徴量を算出する特徴量算出手段と、前記特徴量を出力する特徴量出力手段とを備えることを特徴とする電子抽選装置。
【請求項５】
個人に関する情報である個人情報を取得する個人情報取得手段と、前記個人情報を保持する個人情報保持手段と、他装置の要求に対し該要求に対応する個人情報を識別する識別子を送信する識別子送信手段とを備えることを特徴とする個人情報保持装置。
【請求項６】
取得した前記個人情報が前記個人情報保持手段に既に保持されていないかを検出する重複検出手段を備えたことを特徴とする請求項５に記載の個人情報保持装置。
【請求項７】
当選の前記識別子を受信する当選識別子受信手段と、受信した当選の識別子に対応した個人情報を元に当選を通知する当選通知手段とを備えることを特徴とする請求項５または請求項６に記載の個人情報保持装置。
【請求項８】
前記他装置から特徴量を受信する特徴量受信手段と、前記他装置の要求により送信した前記識別子から特徴量を算出する特徴量算出手段と、前記受信した特徴量と前記算出した特徴量を照合する特徴量照合手段とを備えたことを特徴とする請求項５から請求項７のいずれかに記載の個人情報保持装置。
【請求項９】
個人に関する情報である個人情報を取得する個人情報取得手段と、前記個人情報を保持する個人情報保持手段と、他装置の要求に対し該要求に対応する個人を識別する識別子を送信する識別子送信手段と、前記他装置から特徴量を取得する特徴量取得手段と、前記取得した特徴量から当選者を決定する当選者決定手段とを備えることを特徴とする個人情報保持装置。
【請求項１０】
取得した前記個人情報が前記個人情報保持手段に既に保持されていないかを検出する重複検出手段を備えたことを特徴とする請求項９に記載の個人情報保持装置。
【請求項１１】
個人に関する情報である個人情報を取得する個人情報取得手段と、前記個人情報を保持する個人情報保持手段と、応募者の前記個人情報を特定するための応募情報を取得し取得した応募情報から識別子を取得する応募情報取得手段と、取得した複数の前記識別子から特徴量を算出する特徴量算出手段と、前記特徴量を公開する公開情報出力手段と、抽選要求に応じて前記特徴量から当選の前記識別子を決定する当選識別子決定手段と、前記当選の識別子に対応する前記個人情報を元に当選を通知する当選通知手段とを備えることを特徴とする個人情報保持・電子抽選装置。
【請求項１２】
個人情報保持装置が、個人に関する情報である個人情報を取得し、前記個人情報を保持するステップ、個人情報保持装置が、個人情報に対応した識別子を生成するステップ、電子抽選装置が、応募者の前記個人情報を特定するための応募情報を取得するステップ、電子抽選装置が、取得した応募情報に対応した識別子を前記個人情報保持装置から取得するステップ、電子抽選装置が、取得した複数の識別子の特徴量を算出するステップ、電子抽選装置が、算出された特徴量から当選の前記識別子を決定するステップ、から構成される電子抽選方法。
【請求項１３】
個人情報保持装置が、個人に関する情報である個人情報を取得し、前記個人情報を保持するステップ、電子抽選装置が、応募者の前記個人情報を特定するための応募情報を取得するステップ、電子抽選装置が、取得した応募情報により前記個人情報保持装置に識別子を要求するステップ、個人情報保持装置が、要求された応募情報に対応した識別子を生成するステップ、電子抽選装置が、取得した複数の識別子の特徴量を算出するステップ、電子抽選装置が、算出された特徴量から当選の前記識別子を決定するステップ、から構成される電子抽選方法。
【請求項１４】
前記算出された特徴量から当選の前記識別子を決定するステップは、算出された特徴量を元に擬似乱数を発生させ、該擬似乱数を元に当選の識別子を決定することを特徴とする請求項１２または請求項１３に記載の電子抽選方法。
【請求項１５】
コンピュータを、個人に関する情報である個人情報を取得する個人情報取得手段、前記個人情報を保持する個人情報保持手段、他装置の要求に対し該要求に対応する個人を識別する識別子を送信する識別子送信手段、当選の前記識別子を受信する当選識別子受信手段、受信した当選の識別子に対応した個人情報を元に当選を通知する当選通知手段、として機能させるためのプログラム。
【請求項１６】
コンピュータを、応募に対し応募者を識別する識別子を該応募者の個人情報を管理している装置から取得する識別子取得手段、取得した複数の前記識別子から特徴量を算出する特徴量算出手段、前記特徴量から当選の前記識別子を決定する当選識別子決定手段、前記個人情報を管理している装置に当選の識別子を送信する当選識別子出力手段、として機能させるためのプログラム。
【発明の詳細な説明】
【技術分野】
【０００１】
本発明は、インターネットを介して懸賞を行う電子懸賞システムに関する。
【背景技術】
【０００２】
近年、インターネットの普及に伴い、多くのサービスがインターネット上で展開され、商品は電子的に取引され、多くの企業はインターネットを通じて商品の宣伝等を行っている。また、宣伝等の一環として懸賞等を行うサイトがインターネット上に多く見られるようになっている。
【０００３】
このようなインターネットを介した懸賞等においては、個人情報の漏洩や、懸賞等の応募者または主催者の不正などの問題がある。
【０００４】
このような問題に対し、代理店マシンにのみ個人情報を保持させることで、応募者の手順を簡略化するとともに、個人情報の開示を最小にするものがある（例えば、特許文献１参照）。
【０００５】
また、応募者の不正として、応募者の多重応募を防ごうとするものもある（例えば、特許文献２参照）。
【０００６】
さらに、抽選方法を予め開示しておくことで主催者の不正を防止しようとするものもある（例えば、特許文献３参照）。
【特許文献１】特開２００２−３５２０３８号公報
【特許文献２】特開２００３−１４１２９６号公報
【特許文献３】特開２００２−３３５２４０号公報
【発明の開示】
【発明が解決しようとする課題】
【０００７】
しかしながら、上述の特許文献１に記載のようなものにあっては、懸賞の応募者または主催者の不正を防ぐことができない。
【０００８】
また、上述の特許文献２に記載のようなものにあっては、応募者の多重応募を防ぐのみで、その他の不正を防止することはできない。
【０００９】
また、上述の特許文献３に記載のものでは、抽選を決定する要素として応募者総数や締め切り時刻を利用するようにしているが、どちらも主催者の改ざんの余地が残されており、完全に不正を防止するものではない。
【００１０】
そこで、本発明は、個人情報の開示を最小限に留めるとともに、容易な懸賞応募を可能にするだけでなく、応募者、主催者の双方の不正を防ぐことができ、特にユーザが安心して懸賞に参加できる電子懸賞システムを提供することを目的とする。
【課題を解決するための手段】
【００１１】
上記課題を解決する第１の発明は、応募に対し応募者を識別する識別子を該応募者の個人情報を管理している個人情報保持装置から取得する識別子取得手段と、取得した複数の前記識別子から特徴量を算出する特徴量算出手段と、前記特徴量から当選の前記識別子を決定する当選識別子決定手段と、前記当選の識別子を出力する当選識別子出力手段とを備えることを特徴とするものである。
【００１２】
この発明では、個人情報保持装置から応募者に対応する識別子が取得され、この識別子に基づいて当選が決められる。
【００１３】
上記課題を解決する第２の発明は、上記第１の発明の構成に加え、前記当選識別子出力手段は、前記当選の識別子を前記個人情報保持装置に送信することを特徴とするものである。
【００１４】
この発明では、当選の識別子が個人情報保持装置に送信される。したがって、個人情報保持装置で当選者の個人情報が識別される。
【００１５】
上記課題を解決する第３の発明は、上記第１または第２の発明の構成に加え、前記特徴量算出手段は、前記特徴量を前記個人情報保持装置に送信することを特徴とするものである。
【００１６】
この発明では、特徴量が個人情報保持装置に送信される。したがって、個人情報保持装置で特徴量から当選者が決定される。
【００１７】
上記課題を解決する第４の発明は、応募に対し応募者を識別する識別子を該応募者の個人情報を管理している個人情報保持装置から取得する識別子取得手段と、取得した複数の前記識別子から特徴量を算出する特徴量算出手段と、前記特徴量を出力する特徴量出力手段とを備えることを特徴とするものである。
【００１８】
この発明では、個人情報保持装置から応募者に対応する識別子が取得され、この識別子から特徴量が算出され、算出された特徴量が出力される。したがって、他の装置で特徴量から当選者が決定される。
【００１９】
上記課題を解決する第５の発明は、個人に関する情報である個人情報を取得する個人情報取得手段と、前記個人情報を保持する個人情報保持手段と、他装置の要求に対し該要求に対応する個人情報を識別する識別子を送信する識別子送信手段とを備えることを特徴とするものである。
【００２０】
この発明では、個人情報が保持され、他装置の要求に対し保持されている個人情報を識別する識別子が送信される。したがって、他装置では識別子によって個人情報が識別される。
【００２１】
上記課題を解決する第６の発明は、上記第５の発明の構成に加え、取得した前記個人情報が前記個人情報保持手段に既に保持されていないかを検出する重複検出手段を備えたことを特徴とする。
【００２２】
この発明では、取得した個人情報を保持するとき、重複登録とならないかが検出される。
【００２３】
上記課題を解決する第７の発明は、上記第５または第６の発明の構成に加え、当選の前記識別子を受信する当選識別子受信手段と、受信した当選の識別子に対応した個人情報を元に当選を通知する当選通知手段とを備えることを特徴とするものである。
【００２４】
この発明では、当選の識別子を受信すると、該識別子に対応した個人情報を元に当選が通知される。
【００２５】
上記課題を解決する第８の発明は、上記第５から第７の発明のいずれかの構成に加え、前記他装置から特徴量を受信する特徴量受信手段と、前記他装置の要求により送信した前記識別子から特徴量を算出する特徴量算出手段と、前記受信した特徴量と前記算出した特徴量を照合する特徴量照合手段とを備えたことを特徴とするものである。
【００２６】
この発明では、他装置が算出した特徴量と、特徴量算出手段が算出した特徴量が照合される。したがって、特徴量に対する不正が検出される。
【００２７】
上記課題を解決する第９の発明は、個人に関する情報である個人情報を取得する個人情報取得手段と、前記個人情報を保持する個人情報保持手段と、他装置の要求に対し該要求に対応する個人を識別する識別子を送信する識別子送信手段と、前記他装置から特徴量を取得する特徴量取得手段と、前記取得した特徴量から当選者を決定する当選者決定手段とを備えることを特徴とするものである。
【００２８】
この発明では、他装置から特徴量が取得され、取得した特徴量を元に当選者が決定される。
【００２９】
上記課題を解決する第１０の発明は、上記第９の発明の構成に加え、取得した前記個人情報が前記個人情報保持手段に既に保持されていないかを検出する重複検出手段を備えたことを特徴とするものである。
【００３０】
この発明では、取得した個人情報を保持するとき、重複登録とならないかが検出される。
【００３１】
上記課題を解決する第１１の発明は、個人に関する情報である個人情報を取得する個人情報取得手段と、前記個人情報を保持する個人情報保持手段と、応募者の前記個人情報を特定するための応募情報を取得し取得した応募情報から識別子を取得する応募情報取得手段と、取得した複数の前記識別子から特徴量を算出する特徴量算出手段と、前記特徴量を公開する公開情報出力手段と、抽選要求に応じて前記特徴量から当選の前記識別子を決定する当選識別子決定手段と、前記当選の識別子に対応する前記個人情報を元に当選を通知する当選通知手段とを備えることを特徴とするものである。
【００３２】
この発明では、個人情報が保持され、応募者の複数の識別子から特徴量が算出されて公開され、この特徴量から当選の識別子が決定され、当選が通知される。
【００３３】
上記課題を解決する第１２の発明は、個人情報保持装置が、個人に関する情報である個人情報を取得し、前記個人情報を保持するステップ、個人情報保持装置が、個人情報に対応した識別子を生成するステップ、電子抽選装置が、応募者の前記個人情報を特定するための応募情報を取得するステップ、電子抽選装置が、取得した応募情報に対応した識別子を前記個人情報保持装置から取得するステップ、電子抽選装置が、取得した複数の識別子の特徴量を算出するステップ、電子抽選装置が、算出された特徴量から当選の前記識別子を決定するステップ、から構成されるものである。
【００３４】
この発明では、個人情報保持装置に個人情報が保持され、電子抽選装置には個人情報に対応した識別子のみが公開され、この識別子から特徴量が算出され、当選の識別子が決定される。
【００３５】
上記課題を解決する第１３の発明は、個人情報保持装置が、個人に関する情報である個人情報を取得し、前記個人情報を保持するステップ、電子抽選装置が、応募者の前記個人情報を特定するための応募情報を取得するステップ、電子抽選装置が、取得した応募情報により前記個人情報保持装置に識別子を要求するステップ、個人情報保持装置が、要求された応募情報に対応した識別子を生成するステップ、電子抽選装置が、取得した複数の識別子の特徴量を算出するステップ、電子抽選装置が、算出された特徴量から当選の前記識別子を決定するステップ、から構成されるものである。
【００３６】
この発明では、個人情報保持装置に個人情報が保持され、電子抽選装置の要求により応募者に対応した識別子が生成され、この識別子から電子抽選装置特徴量により特徴量が算出され、当選の識別子が決定される。
【００３７】
上記課題を解決する第１４の発明は、上記第１２または第１３の発明の構成に加え、前記算出された特徴量から当選の前記識別子を決定するステップは、算出された特徴量を元に擬似乱数を発生させ、該擬似乱数を元に当選の識別子を決定することを特徴とするものである。
【００３８】
この発明では、特徴量を元に擬似乱数が発生され、この擬似乱数により当選の識別子が決定される。
【００３９】
上記課題を解決する第１５の発明は、コンピュータを、個人に関する情報である個人情報を取得する個人情報取得手段、前記個人情報を保持する個人情報保持手段、他装置の要求に対し該要求に対応する個人を識別する識別子を送信する識別子送信手段、当選の前記識別子を受信する当選識別子受信手段、受信した当選の識別子に対応した個人情報を元に当選を通知する当選通知手段、として機能させるものである。
【００４０】
この発明では、個人情報が保持され、他装置の要求に対し保持されている個人情報を識別する識別子が送信され、当選の識別子を受信すると、該識別子に対応した公人情報を元に当選が通知される。したがって、他装置では識別子によって個人情報が識別される。
【００４１】
上記課題を解決する第１６の発明は、コンピュータを、応募に対し応募者を識別する識別子を該応募者の個人情報を管理している装置から取得する識別子取得手段、取得した複数の前記識別子から特徴量を算出する特徴量算出手段、前記特徴量から当選の前記識別子を決定する当選識別子決定手段、前記個人情報を管理している装置に当選の識別子を送信する当選識別子出力手段、として機能させるものである。
【００４２】
この発明では、応募者を識別する識別子が取得され、取得された複数の識別子から特徴量が算出され、この特徴量から当選の識別子が決定され、個人情報を管理している装置に当選の識別子が送信される。
【発明の効果】
【００４３】
本発明によれば、個人情報を個人情報保持装置で管理し、電子抽選装置には個人情報を識別する識別子のみを公開し、電子抽選装置は、この識別子から特徴量を算出し、この特徴量に基づいて当選を決定しているので、個人情報の開示を最小限に留めるとともに、応募者、主催者の双方の不正を防ぐことができ、特にユーザが安心して懸賞に参加することができる。
【００４４】
また、個人情報を個人情報保持装置に登録すれば、個人情報を識別する情報を入力するだけで懸賞に応募でき、容易な懸賞応募を可能にすることができる。
【００４５】
また、特徴量を個人情報保持装置と電子抽選装置の双方で算出し、これを照合するようにすれば、特徴量に対する不正を防ぐことができる。
【００４６】
また、電子抽選装置で特徴量の算出までを行い、個人情報保持装置で特徴量を取得して、特徴量から当選者を決定するようにすれば、電子抽選装置での当選者決定時の不正を防ぐことができる。
【００４７】
また、個人情報登録時に重複登録をチェックし、重複登録をさせないようにすれば、応募者による重複登録の不正を防ぐことができる。
【００４８】
また、当選の識別子を個人情報保持装置に送信し、個人情報保持装置で受信した識別子に対応する個人情報を元に応募者に当選を通知するようにすれば、容易に当選者に通知を行うことができる。
【００４９】
また、特徴量から擬似乱数を発生し、擬似乱数により当選の識別子を決定するようにすれば、一つの特徴量から複数の擬似乱数を発生させることができ、一つの特徴量から必要な数の当選識別子を決定することができる。
【００５０】
また、個人情報保持装置と電子抽選装置を一体とした個人情報保持・電子抽選装置とすれば、個人情報の登録と懸賞への応募を同じ装置に行えばよく、容易な懸賞応募を可能にすることができる。
【発明を実施するための最良の形態】
【００５１】
以下、本発明を図面を参照して説明する。
【００５２】
図１は本発明の一実施形態の電子懸賞システムの概略構成を示す図である。
【００５３】
図１において、本実施の形態の電子懸賞システムは、応募者の個人情報を管理する個人情報保持装置１と、懸賞主催者が抽選を行う電子抽選装置２と、応募者が個人情報の登録や懸賞への申し込みを行うユーザ端末３とが、インターネット４を介して接続されている。
【００５４】
個人情報保持装置１は、図２に示すように、ネットワーク通信機能及びＷｅｂサーバ機能を備えた一般的なサーバ用コンピュータで構成され、応募者の個人情報を取得する個人情報取得手段１１と、取得した個人情報を保持しておく個人情報保持手段１２と、電子抽選装置２からの要求により個人の識別子を送信する識別子送信手段１３と、電子抽選装置２からの当選に決定した識別子の通知により当選者に当選の通知を行う当選者通知手段１４とを備えている。
【００５５】
電子抽選装置２は、図３に示すように、ネットワーク通信機能及びＷｅｂサーバ機能を備えた一般的なサーバ用コンピュータで構成され、応募者の要求に応じて個人情報保持装置１から識別子を取得する識別子取得手段２１と、取得した識別子を保持する識別子保持手段２２と、識別子保持手段２２に保持されている識別子から特徴量を算出する特徴量算出手段２３と、算出された特徴量から当選識別子を決定する当選識別子決定手段２４と、当選に決定した識別子を個人情報保持装置１に送信したり、公表したりする当選識別子出力手段２５とを備えている。
【００５６】
ユーザ端末３は、ネットワーク機能を備えた一般的なパーソナルコンピュータで構成され、ＨＴＴＰ（HyperText Transport Protocol）でサーバにアクセスするＷｅｂブラウザアプリケーションがインストールされている必要がある。
【００５７】
このような電子懸賞システムにおける懸賞の応募から当選者の発表までの流れは図４に示すようになっている。
【００５８】
最初に懸賞に応募するに先立って、個人情報を登録するステップについて説明する。
【００５９】
図１に示すユーザ端末３を応募者が操作して個人情報を入力し、個人情報保持装置１に個人情報を送信する。
【００６０】
図５は、ユーザ端末３と個人情報保持装置１とのやり取りを示したフローチャートである。なお、このやり取りは、ユーザ端末３のＷｅｂブラウザアプリケーションと個人情報保持装置１のＷｅｂサーバ機能とのやり取りになる。
【００６１】
まず、応募者がユーザ端末３を操作して、登録先の個人情報保持装置１に入力フォームを要求する（Ｓ１１）。具体的には、Ｗｅｂブラウザアプリケーションにより個人情報保持装置１の登録サービスを行っているＵＲＬ（Uniform Resource Location）にアクセスする。
【００６２】
個人情報保持装置１の個人情報取得手段１１は、要求を受け付けると（Ｓ２１）、要求に応じ個人情報を入力するための入力フォームを送信する（Ｓ２２）。具体的には、図６に示すような、氏名、住所等を入力させるようなＧＵＩ（Graphical User Interface）を備えたＨＴＭＬ（Hyper Text Markup Language）で記述されたＷｅｂページを送信する。
【００６３】
ユーザ端末３は、入力フォームを受信すると、受信した入力フォームを表示し（Ｓ１２）、応募者の入力を待つ。
【００６４】
応募者は、表示された入力フォームに従い個人情報を入力し、図６に示す「ＯＫボタン」（図中Ａで示す）を押すことで入力を終了する。
【００６５】
ユーザ端末３は、「ＯＫボタン」が押されると、入力フォームに入力された個人情報を個人情報保持装置１に送信する（Ｓ１３）。
【００６６】
個人情報保持装置１の個人情報取得手段１１は、送信されてきた個人情報を受信すると（Ｓ２３）、受信した個人情報を個人情報保持手段１２に保存する（Ｓ２４）。具体的には、個人情報登録装置を構成するサーバコンピュータの磁気記憶装置等にデジタルデータとして保持する。
【００６７】
個人情報を保存する場合、個人情報を管理するための識別子を付与して保持するようにしてもよいし、単に個人情報のみを保持するようにしてもよい。一般的には、個人情報を検索可能な形で保持するのがよい。
【００６８】
次に、個人情報取得手段１１は、登録した情報（登録情報）をユーザ端末３に送信する（Ｓ２５）。
【００６９】
ユーザ端末３は、登録情報を受信すると、図７に示すように登録された情報を表示する（Ｓ１４）。
【００７０】
なお、図８に示すように、個人情報保持装置１に受信した個人情報が重複登録であるかを検出する重複検出手段１５を備え、図９に示すように、個人情報を受信したときに、重複登録をチェックし（Ｓ２６）、重複登録チェックの結果を判定し（Ｓ２７）、重複登録でなければ、個人情報を保存し（Ｓ２４）、個人情報をユーザ端末３に送信する（Ｓ２５）ようにしてもよい。
【００７１】
個人情報保持装置１では、個人情報を重複して登録することは有益ではないので、氏名、住所等の組合せから既に登録されている個人情報の中から同じ個人情報が登録されていないかのチェック（重複チェック）を行う。
【００７２】
重複チェックは、氏名、住所等のハッシュ値を比較するなどして高速にチェックをしたり、漢字表記、ひらがな表記等を同一として検索するあいまい検索をしたり、郵便番号で住所を特定してチェックを行ったりするなど、公知の技術で比較的容易に重複のチェックが可能であるが、厳密に重複をチェックすることはできない。特に、名前を詐称された場合は、重複のチェックは不可能である。
【００７３】
このような問題を解決する方法としては、例えば、ユーザ端末３がインターネットに接続している場合、ほとんどの場合プロバイダを経由して接続しているので、プロバイダの登録情報と照合して名前等の詐称をチェックしてもよい。また、個人を特定するために、指紋等のバイオメトリックな情報を利用してもよい。
【００７４】
このような方法のいくつかを併用することでより確実に重複登録を防ぐことができる。
【００７５】
また、個人情報の登録を受けるにあたり、重複登録が発覚した場合には登録資格を失効する旨の契約で登録を受け付けたり、登録料を徴収したりすることで重複登録を防ぐことができる。
【００７６】
このようにして、個人情報を個人情報保持装置１に登録して、個人情報保持装置１は、図１０に示すように、個人情報に識別子を関連付けて複数の個人情報を個人情報保持手段１２に保持し管理する。
【００７７】
また、個人情報としてニックネームを登録し、図１１に示すように、個人情報に識別子とニックネームを関連付けて保持するようにしてもよい。このようにすることで、ニックネームにより個人情報を特定することができる。
【００７８】
次に、図４に示した応募ステップについて説明する。
【００７９】
応募者が懸賞等に応募する場合には、ユーザ端末３を応募者が操作して応募情報を入力し、懸賞を主催している電子抽選装置２に応募情報を送信する。
【００８０】
図１２は、ユーザ端末３と電子抽選装置２とのやり取りを示したフローチャートである。なお、このやり取りは、ユーザ端末３のＷｅｂブラウザアプリケーションと電子抽選装置２のＷｅｂサーバ機能とのやり取りになる。
【００８１】
まず、応募者がユーザ端末３を操作して、懸賞を主催している電子抽選装置２に入力フォームを要求する（Ｓ３１）。具体的には、Ｗｅｂブラウザアプリケーションにより電子抽選装置２の応募受付サービスを行っているＵＲＬにアクセスする。
【００８２】
電子抽選装置２は、要求を受け付けると（Ｓ４１）、要求に応じ応募情報を入力するための入力フォームを送信する（Ｓ４２）。具体的には、図１３に示すような、応募者の個人情報を登録している個人情報保持装置１のＵＲＬと個人情報登録時に個人情報保持装置１から付与された識別子を入力させるようなＧＵＩを備えたＨＴＭＬで記述されたＷｅｂページ、または図１４に示すような、応募者の個人情報を登録している個人情報保持装置１のＵＲＬと個人情報登録時に個人情報保持装置１に登録したニックネームを入力させるようなＧＵＩを備えたＨＴＭＬで記述されたＷｅｂページを送信する。
【００８３】
ユーザ端末３は、入力フォームを受信すると、受信した入力フォームを表示し（Ｓ３２）、応募者の入力を待つ。
【００８４】
応募者は、表示された入力フォームに従い個人情報を登録した個人情報保持装置１のＵＲＬや付与された識別子や登録したニックネームを入力し、図１３、図１４に示す「ＯＫボタン」（図中Ａで示す）を押すことで入力を終了する。
【００８５】
ユーザ端末３は、「ＯＫボタン」が押されると、入力フォームに入力された応募情報を電子抽選装置２に送信する（Ｓ３３）。
【００８６】
電子抽選装置２の個人情報取得手段１１は、送信されてきた応募情報を受信し（Ｓ４３）、受信した応募情報に基づいて応募受付処理を行う（Ｓ４４）。
【００８７】
応募受付処理は、識別子取得手段２１により応募情報の個人情報保持装置１から識別子を取得し、識別子保持手段２２に識別子を保持することにより行う。
【００８８】
応募情報が個人情報保持装置１のＵＲＬと識別子の場合、識別子取得手段２１は、応募情報の個人情報保持装置１のＵＲＬにアクセスし、識別子を送信する。
【００８９】
個人情報保持装置１の識別子送信手段１３は、識別子を受信すると、個人情報保持手段１２から一致する識別子を検索し、一致する識別子があればその識別子を電子抽選装置２に送信する。一致する識別子が無ければ、エラーを表す識別子（例えば０）を送信することで識別子が無効であることを電子抽選装置２に通知する。
【００９０】
電子抽選装置２の識別子取得手段２１は、受信した識別子がエラーを表す識別子であれば応募受付処理の結果を異常とし、受信した識別子がエラーを表す識別子でなければ応募受付処理の結果を正常とし、受信した識別子を個人情報保持装置１のＵＲＬとともに識別子保持手段２２に保持させる。
【００９１】
応募情報が個人情報保持装置１のＵＲＬとニックネームの場合、図１５に示すように、識別子取得手段２１は、応募情報の個人情報保持装置１のＵＲＬにアクセスし、ニックネームを送信する（Ｓ５１）。
【００９２】
個人情報保持装置１の識別子送信手段１３は、ニックネームを受信すると（Ｓ６１）、個人情報保持手段１２から一致するニックネームを検索し、一致するニックネームに対応する識別子を取得し（Ｓ６２）、取得した識別子を電子抽選装置２に送信する（Ｓ６３）。一致するニックネームが無ければ、エラーを表す識別子（例えば０）を送信することでニックネームが無効であることを電子抽選装置２に通知する。
【００９３】
電子抽選装置２の識別子取得手段２１は、識別子を受信すると（Ｓ５２）、受信した識別子がエラーを表す識別子であるか判定し（Ｓ５３）、受信した識別子がエラーを表す識別子でなければ応募受付処理の結果を正常とし（Ｓ５４）、受信した識別子を個人情報保持装置１のＵＲＬとともに識別子保持手段２２に保持させる（Ｓ５５）。受信した識別子がエラーを表す識別子であれば応募受付処理の結果を異常とする（Ｓ５６）。
【００９４】
このようにして、応募情報に基づいて個人情報保持装置１から取得した識別子を保持することで応募受付が行われる。
【００９５】
図１２に戻り、応募受付処理の結果を判定し（Ｓ４５）、応募受付処理の結果が正常であれば、個人情報の登録元ＵＲＬや識別子を含む受付情報をユーザ端末３に送信する（Ｓ４６）。
【００９６】
ユーザ端末３は、受付情報を受信すると、図１６に示すように受付情報を表示して応募が正常に行われた旨を表示する（Ｓ３４）。
【００９７】
このようにして、電子抽選装置２は、応募者の個人情報の識別子を個人情報が登録されている個人情報保持装置１のＵＲＬとともに識別子保持手段２２に保持する。
【００９８】
次に、このようにして取得した識別子から抽選を行う抽選ステップについて説明する。
【００９９】
懸賞主催者は、懸賞応募期間が過ぎた場合に、応募を締め切り、抽選を行う。図１７は、抽選処理を説明するためのフローチャートである。
【０１００】
まず、特徴量算出手段２３が、識別子保持手段２２に保持されている応募者の識別子から特徴量を算出する（Ｓ７１）。特徴量の算出には、公知のＭＤ５（Message Digest 5）、ＳＨＡ（Secure Hash Algorithm）などのハッシュアルゴリズムを使うことで簡単に複数の識別子の特徴を表す特徴量を算出することができる。
【０１０１】
次に、当選識別子決定手段２４が、算出した特徴量を種に擬似乱数を発生させる（Ｓ７２）。擬似乱数とは特定の種となる数値を元に発生された擬似的な乱数のことで、算術的に乱数を発生させるので種の値により発生する乱数系列が決定されるので、厳密な乱数ではなく、擬似乱数と呼ばれている。
【０１０２】
つまり、特徴量が決定すると発生する擬似乱数は自動的に決定される。擬似乱数の算出方法は、混合合同法、平均採中法、メンセンヌ・ツイスタ法等が知られており、これらの方法を使用して算出する。
【０１０３】
次に、発生させた擬似乱数から当選の識別子を決定する。まず、擬似乱数を応募された識別子に合わせて桁合わせし、対象番号とし（Ｓ７３）、応募識別子の中から対象番号と一致する識別子を検索し（Ｓ７４）、一致する識別子があったか判定する（Ｓ７５）。
【０１０４】
一致する識別子が合った場合には、その識別子を当選識別子に決定する（Ｓ７６）。そして、全ての当選者が決定したかを判定し（Ｓ７７）、決定していなければ、Ｓ７２に戻り、擬似乱数の発生から処理を繰り返す。
【０１０５】
図１８は、この処理の大まかな流れを示した図である。ここで重要なことは、特徴量は応募者の識別子で決定され、特徴量が決定すると一義的に当選者の識別子が決定することである。
【０１０６】
つまり、このような抽選方式を予め開示しておくことで主催者は算術的な操作で不正を行うことができない。また、算術の元となる応募者の識別子は個人情報保持装置１から取得するので主催者が勝手に決めることはできず、不正を行うことができない。
【０１０７】
なお、本実施形態においては、個人情報登録時に個人情報に対応した識別子を決定しておいたが、図１９に示すように、個人情報保持装置１の識別子送信手段１３において、電子抽選装置２からニックネームを受信したとき、識別子を発生し、発生した識別子を受信したニックネームに関連付けられた個人情報に関連付けて保持する（Ｓ６４）ようにしてもよい。
【０１０８】
このようにすることで、主催者側は識別子を予想することが困難になるとともに、抽選時に主催者側が識別子を公表するようにすることで、個人情報保持装置１に保持されている識別子と比較できるので、識別子を不正に生成することができなくなる。
【０１０９】
また、応募期間中に応募者の識別子を図２０に示すように絶えず公表することで、主催者側が識別子を改ざんすることができなくなる。
【０１１０】
また、図２１に示すように、個人情報保持装置１が、識別子を送信するときに、公開鍵方式の鍵で識別子等を暗号化して公開鍵とともに電子抽選装置２に送信し、その署名情報を図２２に示すように公開してもよい。
【０１１１】
この場合、秘密鍵を持たない電子抽選装置２は、署名情報を作れないので、不正な識別子を生成することができない。また、暗号化された識別子を元に上述のような抽選を行ってもよい。当選した暗号化された識別子を個人情報保持装置１が復号化することで個人情報を特定できる。
【０１１２】
また、一つの特徴量から複数の擬似乱数を発生し、複数の当選者を決定したが、識別子を複数のグループに分け、それぞれのグループから特徴量を算出することで特徴量を複数用意して、それぞれの特徴量から当選者を決定してもよいし、擬似乱数を使わずに識別子の順番を入れ替えて複数の特徴量を算出し、複数の特徴量を桁合わせし、一致する識別子を当選とする方法などを使ってもよい。
【０１１３】
いずれの方法においても、当選の識別子の算出方法と、その算出方法で一義的に当選識別子が決まることと、算出に使用する識別子を主催者側が操作できないようにすること（個人情報保持装置１の内容と照合できるようにしたり、暗号化したり、応募期間中に公表したりすること）が必要である。つまり、図２３に示すように、識別子から特徴量を算出し、特徴量を元に当選識別子を決定するようにするとともに、この方法を公開することが必要である。
【０１１４】
次に、当選者発表ステップについて説明する。
【０１１５】
電子抽選装置２の当選識別子決定手段２４は、上述の抽選ステップで当選が決まった識別子を当選識別子出力手段２５に通知する。
【０１１６】
当選識別子出力手段２５は、当選識別子の通知を受けると、図２４に示すように、当選識別子を個人情報保持装置１に送信する（Ｓ８１）。
【０１１７】
個人情報保持装置１の当選者通知手段１４は、当選識別子を受信すると（Ｓ９１）、受信した当選識別子を元に個人情報保持手段１２から個人情報を取得し（Ｓ９２）、当選者宛に当選の旨を通知する（Ｓ９３）。この場合、当選者通知手段１４は、個人情報の住所情報から当選葉書を出力してもよいし、Ｅｍａｉｌアドレス情報を使って当選したことを通知する電子メールを送信するようにしてもよい。
【０１１８】
このように本実施形態においては、応募者の個人情報を個人情報保持装置１で管理し、電子抽選装置２は、懸賞の応募者の情報として個人情報保持装置１から識別子を取得して管理するので、応募者は、個人情報を個人情報保持装置１に登録するだけで、他の装置に個人情報を開示することなく懸賞に応募することができる。
【０１１９】
また、電子抽選装置２は、応募者の識別子を元に特徴量を算出し、特徴量から一義的に当選識別子が決まる方法で当選識別子を決定し、かつその抽選方法を開示することで、主催者による不正が不可能であることを明示することができるので、応募者は安心して懸賞に応募することができる。
【０１２０】
なお、個人情報保持装置１および電子抽選装置２の各手段は、サーバコンピュータのサービスプログラムによって実現できる。すなわち、図２５に示すように、個人情報保持装置１である個人情報保持サーバ５には、個人情報を登録する登録サービス５１と、識別子を発行する識別子発行サービス５２と、当選者を通知する当選者通知サービス５３とが走っているとともに、検索可能に個人情報を保持する個人情報データベース（ＤＢ）５４がある。
【０１２１】
また、電子抽選装置２である懸賞サーバ６は、懸賞への応募を受け付ける応募受付サービス６１と、抽選を行う抽選サービス６２が走っており、抽選に必要な応募者の識別子を検索可能に保持する識別子データベース（ＤＢ）６３がある。
【０１２２】
はじめに、応募者に通常のパーソナルコンピュータなどから上述のように登録サービス５１にアクセスさせることで、個人情報保持サーバ５は、個人情報を取得し、個人情報ＤＢ５４に登録する。
【０１２３】
また、懸賞に応募したい応募者が、懸賞サーバ６の応募受付サービス６１にアクセスし、懸賞に応募する場合は、最終的に個人情報を特定できるような上述した（図１３、図１４で示した）応募情報を応募受付サービス６１が受け取る。
【０１２４】
応募受付サービス６１は、受け取った応募情報から個人情報保持サーバ５の識別子発行サービス５２に対し識別子の発行を要求し、識別子発行サービス５２は、応募情報に対応する識別子を個人情報ＤＢ５４から検索し、検索された識別子を懸賞サーバ６に発行する。
【０１２５】
応募受付サービス６１は、発行された識別子を識別子ＤＢ６３に保持する。
【０１２６】
一定の応募期間が終わった場合や、応募総数に達した場合、懸賞主催者は抽選要求を懸賞サーバ６に送る。この場合の抽選要求は、直接懸賞サーバ６を操作してもよいし、他の端末から抽選要求を送信するようにしてもよい。
【０１２７】
抽選を要求された懸賞サーバ６の抽選サービス６２は、上述した抽選方法で抽選を行い当選識別子を決定し、この情報を個人情報保持サーバ５の当選者通知サービス５３に通知し、当選者通知サービス５３は、通知された当選識別子に対応する個人情報を個人情報ＤＢ５４から取り出し、取り出した個人情報を元に当選通知を応募者に通知する。
【０１２８】
また、本実施形態においては、懸賞に対し電子抽選装置である懸賞サーバを主催者が用意するような形式で説明したが、図２６に示すように、主催者は懸賞を主催する主催サーバ７を用意し、懸賞があることをユーザに知らせて募集し、応募者の懸賞に対する応募を懸賞サーバ６に転送し、懸賞サーバ６および個人情報保持サーバ５は上述のような応募受付を行うとともに、主催サーバ７の抽選要求により抽選、当選者通知等を行うようにしてもよい。
【０１２９】
このようにすることで、各主催者が懸賞サーバ６を用意する必要が無く、主催サーバ７は、懸賞の広告と応募情報の転送ができればよく、企業や個人のＷｅｂサイトで行うことができる。
【０１３０】
すなわち、図２６に示したように、複数の懸賞を受け付ける懸賞サーバ６をインターネット上に設置することで、懸賞を行いたい企業、個人は、上述のような安心な抽選方法で抽選を行う懸賞サーバ６に懸賞を委託することができる。
【０１３１】
図２７は、個人情報保持装置１と電子抽選装置２の関係を示す図である。
【０１３２】
個人情報保持装置１は、登録要求に対し個人情報取得手段１１が個人情報を取得し、個人情報保持手段１２に個人情報を保持することで登録する。このとき、図８、図９で説明したように、取得した個人情報の重複を検出する重複検出手段１５で多重登録を防止するようにしてもよい。
【０１３３】
電子抽選装置２の識別子取得手段２１は、応募要求の応募情報を元に、個人情報保持装置１にニックネームまたは識別子を送信し、個人情報保持装置１の識別子送信手段１３は、受信したニックネームまたは識別子から、登録されている個人情報を元に識別子を特定し、特定した識別子を電子抽選装置２の識別子取得手段２１に送信する。電子抽選装置２の識別子取得手段２１は、受信した識別子を識別子保持手段２２に保持する。
【０１３４】
また、電子抽選装置２は、抽選要求に対し、特徴量算出手段２３が識別子保持手段２２に保持されている応募された複数の識別子を元に特徴量を算出し、当選識別子決定手段２４が、算出された特徴量から上述の方法を使って当選識別子を決定する。当選識別子出力手段２５は、この当選識別子を個人情報保持装置１の当選者通知手段１４に送信する。
【０１３５】
個人情報保持装置１の当選者通知手段１４は、受信した当選識別子に対応する個人情報を個人情報保持手段１２から取得し、取得した個人情報を元に当選者に通知を行う。
【０１３６】
このように、懸賞等に応募するユーザが予め個人情報を個人情報保持装置１に登録し、電子抽選装置２にニックネーム等の応募情報で懸賞に応募し、主催者側の抽選要求で電子抽選装置２が抽選を行い、抽選結果を個人情報保持装置１に送信することで当選者への通知が行える。
【０１３７】
このような構成により、懸賞への参加者の利便性を向上させることができるとともに、主催者の不正を防止して参加者が安心して懸賞に応募できる。
【０１３８】
図２８は、電子抽選装置２は特徴量のみ算出し、特徴量算出手段２３が算出した特徴量を出力する特徴量出力手段２６により特徴量を個人情報保持装置１の特徴量取得手段１６に出力し、個人情報保持装置１の特徴量取得手段１６が取得した特徴量を当選者決定手段１７に渡し、当選者決定手段１７がこの特徴量を元に上述の方法で当選者を決定し、通知するものである。
【０１３９】
また、図２９は、電子抽選装置２の識別子取得手段２１が個人情報保持装置１から識別子を取得する毎に、特徴量算出手段２３により特徴量を算出し、算出した特徴量を特徴量出力手段２６により個人情報保持装置１に出力する。
【０１４０】
個人情報保持装置１は、特徴量を算出する特徴量算出手段１８と、特徴量算出手段１８が算出した特徴量と電子抽選装置２から受信した特徴量を照合する特徴量照合手段１９とを備え、識別子送信手段１３が、電子抽選装置２から識別子を要求されたときに、特徴量算出手段１８が特徴量を算出し、特徴量照合手段１９が、算出された特徴量と電子抽選装置２から受信した特徴量を照合して照合結果を出力する。
【０１４１】
このようにすることで、個人情報保持装置１が識別子を電子抽選装置２に発行する毎に双方の算出した特徴量が比較され、特徴量の改ざんを防ぐことができる。この場合、応募毎に過去の識別子全体の特徴量を算出するようにすることで、常に抽選のための特徴量が用意されていることになり、抽選要求を当選識別子決定手段２４に伝達することで、最新の特徴量に基づいて抽選を行うことができる。
【０１４２】
図３０は、電子抽選装置２の識別子取得手段２１が、応募に対し個人情報保持装置１から識別子を取得し、この識別子を特徴量算出手段２３に出力し、特徴量算出手段２３が、取得した識別子を含んだ応募全体の特徴量を算出し、算出した特徴量を特徴量出力手段２６により個人情報保持装置１に出力する。
【０１４３】
個人情報保持装置１は、特徴量を算出する特徴量算出手段１８と、特徴量算出手段１８が算出した特徴量と電子抽選装置２から受信した特徴量を照合する特徴量照合手段１９とを備え、識別子送信手段１３が、電子抽選装置２から識別子を要求されたときに、特徴量算出手段１８が特徴量を算出し、特徴量照合手段１９が、算出された特徴量と電子抽選装置２から受信した特徴量を照合し、一致した場合には特徴量を当選者決定手段１７に通知し、当選者決定手段１７は、抽選要求を受け付けた時点で保持している特徴量から抽選を行い当選者を決定する。
【０１４４】
図３１は、個人情報保持装置と電子抽選装置を一つにした個人情報保持・電子抽選装置８の例である。
【０１４５】
図３１に示すように、個人情報保持・電子抽選装置８は、ネットワーク通信機能及びＷｅｂサーバ機能を備えた一般的なサーバ用コンピュータで構成され、応募者の個人情報を取得する個人情報取得手段８１と、取得した個人情報を保持しておく個人情報保持手段８２と、応募者からの応募情報を取得し個人情報保持手段８２から応募情報に対応する識別子を取得する応募情報取得手段８３と、応募情報取得手段８３が取得した識別子を含んだ応募全体の特徴量を算出する特徴量算出手段８４と、応募毎に公開情報を出力する公開情報出力手段８５と、応募毎に特徴量算出手段８４が算出した特徴量を保持し抽選要求を受け付けた時点で保持している特徴量から抽選を行い当選者を決定する当選識別子決定手段８６と、当選識別子決定手段８６からの当選に決定した識別子の通知により当選者に当選の通知を行う当選者通知手段８７とを備えている。
【０１４６】
上述の個人情報保持装置１および電子抽選装置２と同様に、ユーザ端末３等から個人情報の登録を受け付けるとともに、懸賞に対する応募も受け付けるものであるが、この場合、個人情報が個人情報保持・電子抽選装置８に漏洩するので、図３２に示すように、個人情報保持・電子抽選装置８は、主催者側が用意するのではなく第三者機関が用意し、懸賞主催者は懸賞応募の伝達と抽選要求のみを行う構成を取ることが望ましい。
【０１４７】
また、識別子が改ざんされる可能性があるので、個人情報の登録時に識別子をユーザに発行するか、個人情報によって一義的に決定する識別子を使うとともに、応募毎に新たな識別子や更新された特徴量等を公開情報として図３３に示すように公開情報出力手段で公開することで、識別子や特徴量の改ざんを防ぐことができる。
【０１４８】
また、これらの方法では、抽選を複数回行うことができるので、主催者が抽選要求を出すだけでなく、スピードくじのように応募時に抽選を行ったり、ユーザが抽選要求を行ったりするようにしてもよい。この場合は、応募時に取得した識別子による更新された特徴量で当選を判断する。
【０１４９】
また、応募期間を日時で区切るのではなく、応募総数で区切ることもできる。
【図面の簡単な説明】
【０１５０】
【図１】本発明の第１実施形態の電子懸賞システムを示す図であり、その概略構成図である。
【図２】その個人情報保持装置のブロック図である。
【図３】その電子抽選装置のブロック図である。
【図４】その電子懸賞の処理の流れを示すフローチャートである。
【図５】その個人情報登録処理を説明するフローチャートである。
【図６】その個人情報の入力フォームの例を示す図である。
【図７】その登録情報の表示例を示す図である。
【図８】その個人情報保持装置の他の態様のブロック図である。
【図９】その図８の個人情報保持装置の個人情報登録処理を説明するフローチャートである。
【図１０】その個人情報保持手段の個人情報の保持例を示す図である。
【図１１】その個人情報保持手段の個人情報の保持の他の例を示す図である。
【図１２】その応募受付処理を説明するフローチャートである。
【図１３】その応募情報の入力フォームの例を示す図である。
【図１４】その応募情報の入力フォームの他の例を示す図である。
【図１５】その抽選処理を説明するフローチャートである。
【図１６】その受付情報の表示例を示す図である。
【図１７】その抽選処理を説明するフローチャートである。
【図１８】その抽選処理の大まかな流れを示す図である。
【図１９】その応募受付処理の他の態様を説明するフローチャートである。
【図２０】その応募者の識別子の公表例を示す図である。
【図２１】その識別子を暗号化したときの情報の流れを示す図である。
【図２２】その図２１の態様での署名情報の公開例を示す図である。
【図２３】その当選の識別子の算出方法の概要を示すフローチャートである。
【図２４】その当選者発表処理を説明するフローチャートである。
【図２５】そのサービスプログラムによる構成図である。
【図２６】その主催サーバを用いた場合の概略構成図である。
【図２７】その個人情報保持装置と電子抽選装置の関係を示す図である。
【図２８】その電子抽選装置は特徴量のみ算出し個人情報保持装置で当選者を決定する構成を示す図である。
【図２９】その個人情報保持装置と電子抽選装置の双方が特徴量を算出しこれを照合する構成を示す図である。
【図３０】その個人情報保持装置で電子抽選装置が算出した特徴量と自装置で算出した特徴量を照合するとともに当選者を決定する構成を示す図である。
【図３１】その個人情報保持装置と電子抽選装置を一つにした個人情報保持・電子抽選装置のブロック図である。
【図３２】その個人情報保持・電子抽選装置による概略構成図である。
【図３３】その個人情報保持・電子抽選装置による公開情報の表示例を示す図である。
【符号の説明】
【０１５１】
１  個人情報保持装置
１１  個人情報取得手段
１２  個人情報保持手段
１３  識別子送信手段
１４  当選者通知手段
１５  重複検出手段
１６  特徴量取得手段
１７  当選者決定手段
１８  特徴量算出手段
１９  特徴量照合手段
２  電子抽選装置
２１  識別子取得手段
２２  識別子保持手段
２３  特徴量算出手段
２４  当選識別子決定手段
２５  当選識別子出力手段
２６  特徴量出力手段
３  ユーザ端末
４  インターネット
５  個人情報保持サーバ
５１  登録サービス
５２  識別子発行サービス
５３  当選者通知サービス
５４  個人情報データベース（ＤＢ）
６  懸賞サーバ
６１  応募受付サービス
６２  抽選サービス
６３  識別子データベース（ＤＢ）
７  主催サーバ
８  個人情報保持・電子抽選装置
８１  個人情報取得手段
８２  個人情報保持手段
８３  応募情報取得手段
８４  特徴量算出手段
８５  公開情報出力手段
８６  当選識別子決定手段
８７  当選者通知手段
【図１】
2007096850.tif 000003
【図２】
2007096850.tif 000004
【図３】
2007096850.tif 000005
【図４】
2007096850.tif 000006
【図５】
2007096850.tif 000007
【図６】
2007096850.tif 000008
【図７】
2007096850.tif 000009
【図８】
2007096850.tif 000010
【図９】
2007096850.tif 000011
【図１０】
2007096850.tif 000012
【図１１】
2007096850.tif 000013
【図１２】
2007096850.tif 000014
【図１３】
2007096850.tif 000015
【図１４】
2007096850.tif 000016
【図１５】
2007096850.tif 000017
【図１６】
2007096850.tif 000018
【図１７】
2007096850.tif 000019
【図１８】
2007096850.tif 000020
【図１９】
2007096850.tif 000021
【図２０】
2007096850.tif 000022
【図２１】
2007096850.tif 000023
【図２２】
2007096850.tif 000024
【図２３】
2007096850.tif 000025
【図２４】
2007096850.tif 000026
【図２５】
2007096850.tif 000027
【図２６】
2007096850.tif 000028
【図２７】
2007096850.tif 000029
【図２８】
2007096850.tif 000030
【図２９】
2007096850.tif 000031
【図３０】
2007096850.tif 000032
【図３１】
2007096850.tif 000033
【図３２】
2007096850.tif 000034
【図３３】
2007096850.tif 000035